(57)【要約】【課題】中央部の厚みが厚くなるのを回避しながらも、拡径変形部の偏芯によるリベット部材と嵌合部材とのかしめ強度のバラツキ発生を防止できるようにした雄スナップ用嵌合部材を提供する。【解決手段】円形状基板７の表面に雄型嵌合部９が突設され、雄型嵌合部内の基板中央に、軸芯と平行で且つ基板表面ａと直角な内周ｂ面をもつ円形の貫通孔１０が形成され、可撓性膜体の片側から打ち込まれた合成樹脂製リベット部材４の突起４ａを前記貫通孔に挿入して、その突出先端部を打撃により押し潰して雄型嵌合部内で拡径変形させることにより、可撓性膜体に取り付けるように構成された雄スナップ用嵌合部材３において、雄型嵌合部の内周面ｃと基板表面との角部に、前記貫通孔と同心で且つ貫通孔の内周面と平行な内周面ｄを有する環状段差部１１を設けて前記突起の拡径変形部の外周位置を規制する。【選択図】        図４
2004201999.tif 000002
【特許請求の範囲】
【請求項１】
円形状の基板の表面に、円筒状で且つ先端外周に雌スナップに対する係合用膨出部を形成した雄型嵌合部が突設され、雄型嵌合部内の基板中央に、軸芯と平行で且つ基板表面と直角な内周面をもつ円形の貫通孔が形成され、可撓性膜体の片側から打ち込まれた合成樹脂製リベット部材の突起を前記貫通孔に挿入して、その突出先端部を打撃により押し潰して雄型嵌合部内で拡径変形させることにより、可撓性膜体に取り付けるように構成された雄スナップ用嵌合部材であって、雄型嵌合部の内周面と基板表面との角部に、前記貫通孔と同心で且つ当該貫通孔の内周面と平行な内周面を有する環状段差部を設け、環状段差部の内周面によって前記突起の拡径変形部の外周位置を規制するようにしたことを特徴とする雄スナップ用嵌合部材。
【発明の詳細な説明】
【０００１】
【発明の属する技術分野】
本発明は、円形状の基板の表面に、円筒状で且つ先端外周に雌スナップに対する係合用膨出部を形成した雄型嵌合部が突設され、雄型嵌合部内の基板中央に、軸芯と平行で且つ基板表面と直角な内周面をもつ円形の貫通孔が形成され、可撓性膜体の片側から打ち込まれた合成樹脂製リベット部材の突起を前記貫通孔に挿入して、その突出先端部を打撃により押し潰して雄型嵌合部内で拡径変形させることにより、可撓性膜体に取り付けるように構成された雄スナップ用嵌合部材に関する。
【０００２】
【従来の技術】
【特許文献１】
特開７−２８９３１１号公報  図５
従来、この種の雄スナップ用嵌合部材においては、図７、図８に示すように、雄型嵌合部９の内周面ｃが基板表面ａから垂直に立ち上がった形状であったため、合成樹脂製リベット部材４の突起４ａを基板７の貫通孔１０に挿入して、その突出先端部を打撃により押し潰して雄型嵌合部９内で拡径変形させた際、拡径変形部４ｂが貫通孔１０に対し偏芯して、リベット部材４と嵌合部材３とのかしめ強度にバラツキが生じるという問題点があった。
【０００３】
即ち、合成樹脂製リベット部材４を上向きに載置する受け座１２と、受け座１２に対して昇降駆動される打込み具１３とを備え、打込み具１３が雄型嵌合部９を嵌め込んで支持する筒部１３ａと、筒部１３ａの内側に配置されたハンマー１３ｂとから構成されたスナップファスナー取付け機は、受け座１２に合成樹脂製リベット部材４を載置し、筒部１３ａに雄型嵌合部９を保持させた状態で、打込み具１３が下降することにより、リベット部材４の突起４ａが可撓性膜体Ｂ1を貫いて貫通孔１０に挿入され、この状態からハンマー１３ｂが筒部１３ａに対してさらに下降することにより、突起４ａの先端を打撃して押し潰すように構成されており、ハンマー１３ｂの外周面と雄型嵌合部９の内周面との間には、僅かな環状の隙間Ｓを形成して、ハンマー１３ｂの外周面が雄型嵌合部９の内周面に接触しないように構成されている。
【０００４】
従って、前記貫通孔１０に挿入した突起４ａの突出先端部をハンマー１３ｂで打撃して押し潰し、雄型嵌合部９内で拡径変形させる際、ハンマー１３ｂの外周面と雄型嵌合部９の内周面との隙間Ｓの範囲において、拡径変形部４ｂが、図７、図８に示すように、貫通孔１０に対して偏芯することがあった。拡径変形部４ｂが偏芯すると、所定のかしめ強度が確保できないことになり、雄スナップと雌スナップとの嵌合離脱操作が繰り返されるうちに、リベット部材４と嵌合部材３とが不測に分離してしまうことになる。この傾向は、合成樹脂製リベット部材４が、ポリアセタール樹脂である場合も見られるが、ポリエステルやＰＢＴ樹脂（ポリブチレンテレフタレート樹脂）のような柔らかな樹脂である場合、特に顕著である。
【０００５】
また、本発明者は、雄型嵌合部内の基板表面を貫通孔に近いほど低くなるような傾斜面（ラッパ状の斜面）に形成することによって、拡径変形部にクラックが発生するのを防いで、リベット部材と嵌合部材とのかしめ強度を高めるようにした雄スナップ用嵌合部材を、上記の特許文献１（特開７−２８９３１１号公報）によって提案している。
【０００６】
しかしながら、これによる場合は、基板表面をラッパ状に傾斜させるので、基板の板厚を確保するためには、基板をその中央部が裏面側に突き出た断面形状に成形する必要があり、その結果、雄スナップ用嵌合部材の中央部の厚みが厚くなり、雄スナップの厚さが厚くなってしまうという新たな問題が生じる。
【０００７】
【発明が解決しようとする課題】
上記の現状に鑑み、本発明は、雄型嵌合部内の基板表面を貫通孔の内周面と直角な面にすることによって、雄スナップ用嵌合部材の中央部の厚みが厚くなるのを回避しながらも、拡径変形部の偏芯によるリベット部材と嵌合部材とのかしめ強度のバラツキ発生を防止できるようにした雄スナップ用嵌合部材を提供するものである。
【０００８】
【課題を解決するための手段】
上記の課題を解決するために、本発明は、円形状の基板の表面に、円筒状で且つ先端外周に雌スナップに対する係合用膨出部を形成した雄型嵌合部が突設され、雄型嵌合部内の基板中央に、軸芯と平行で且つ基板表面と直角な内周面をもつ円形の貫通孔が形成され、可撓性膜体の片側から打ち込まれた合成樹脂製リベット部材の突起を前記貫通孔に挿入して、その突出先端部を打撃により押し潰して雄型嵌合部内で拡径変形させることにより、可撓性膜体に取り付けるように構成された雄スナップ用嵌合部材において、雄型嵌合部の内周面と基板表面との角部に、前記貫通孔と同心で且つ当該貫通孔の内周面と平行な内周面を有する環状段差部を設け、環状段差部の内周面によって前記突起の拡径変形部の外周位置を規制するようにしたことを特徴としている。
【０００９】
上記の構成によれば、雄型嵌合部内の基板表面を貫通孔の内周面と直角な面に形成してあるので、雄スナップ用嵌合部材の中央部の厚みが厚くなるのを回避でき、それでいて、基板の貫通孔に挿入した突起の突出先端部をハンマーで打撃して押し潰し、雄型嵌合部内で拡径変形させる際、環状段差部の内周面によって拡径変形部の外周位置が規制されるので、ハンマーの外周面と雄型嵌合部の内周面との間に環状の隙間があっても、拡径変形部の偏芯が防止され、リベット部材と嵌合部材とのかしめ強度のバラツキ発生を防止できる。
【００１０】
【発明の実施の形態】
図１と図２において、Ａは、雄スナップ１と雌スナップ２とから構成されたスナップファスナーを示す。雄スナップ１は、合成樹脂製の雄スナップ用嵌合部材３と、それを例えば衣服などの可撓性膜体Ｂ1に取り付ける合成樹脂製リベット部材４とから構成され、雌スナップ２は、合成樹脂製の雌スナップ用嵌合部材５と、それを可撓性膜体Ｂ2に取り付ける合成樹脂製リベット部材６とから構成されている。前記リベット部材４，６の材料樹脂としては、例えばポリアセタールやポリエステルであってもよいが、この例では、ＰＢＴ樹脂（ポリブチレンテレフタレート樹脂）が使用されている。
【００１１】
雄スナップ用嵌合部材３は、図３、図４に示すように、平面視円形状の基板７の表面に、円筒状で且つ先端外周に雌スナップ２に対する複数（図示の例では５個）の係合用膨出部８が形成された雄型嵌合部９を突設し、雄型嵌合部９内の基板７中央に、軸芯と平行で且つ基板表面ａと直角な内周面ｂをもつ円形の貫通孔１０を形成したもので、可撓性膜体Ｂ1の片側から打ち込まれた合成樹脂製リベット部材４の突起４ａを前記貫通孔１０に挿入して、その突出先端部を打撃により押し潰して雄型嵌合部９内で拡径変形させることにより、可撓性膜体Ｂ1に取り付けるように構成されており、雄型嵌合部９の内周面ｃと基板表面ａとの角部には、前記貫通孔１０と同心で且つ当該貫通孔１０の内周面ｂと平行な内周面ｄを有する環状段差部１１が設けられている。そして、突起４ａの突出先端部を打撃により押し潰した際、図５に示すように、環状段差部１１の内周面ｄによって前記突起４ａの拡径変形部４ｂの外周位置を規制するように構成されている。図中の７ａは、基板７の裏面に突設した回り止め用のスパイク状突起である。
【００１２】
上記の構成によれば、図５に示すように、受け座１２に合成樹脂製リベット部材４を上向きに載置し、打込み具１３の筒部１３ａに雄型嵌合部９を保持させた状態で、打込み具１３が下降することにより、リベット部材４の突起４ａが可撓性膜体Ｂ1を貫いて貫通孔１０に挿入される。
【００１３】
この状態からハンマー１３ｂが筒部１３ａに対してさらに下降することにより、図６に示すように、突起４ａの先端がハンマー１３ｂにより常温下で打撃されて押し潰され、リベット部材４と雄スナップ用嵌合部材３とがかしめ止めされて、可撓性膜体Ｂ1に取り付けられることになる。
【００１４】
この場合、雄型嵌合部９の内周面ｃと基板表面ａとの角部に、前記貫通孔１０と同心で且つ当該貫通孔１０の内周面ｂと平行な内周面ｄを有する環状段差部１１が設けられているので、基板７の貫通孔１０に挿入した突起４の突出先端部をハンマー１３ｂで打撃して押し潰し、雄型嵌合部９内で拡径変形させる際、環状段差部１１の内周面ｄによって拡径変形部４ｂの外周位置が規制されることになり、ハンマー１３ｂの外周面と雄型嵌合部９の内周面との間に環状の隙間があるにもかかわらず、拡径変形部４ｂの偏芯が防止され、リベット部材４と嵌合部材３とのかしめ強度のバラツキ発生を防止できるのである。
【００１５】
また、雄型嵌合部９内の基板表面ａを貫通孔１０の内周面ｂと直角な面に形成してあるので、雄スナップ用嵌合部材３の中央部の厚みが厚くならず、雄スナップ１の厚さが厚くなってしまうという問題を回避できる。
【００１６】
【発明の効果】
本発明は、上述した構成よりなり、雄型嵌合部内の基板表面を貫通孔の内周面と直角な面にすることによって、雄スナップ用嵌合部材の中央部の厚みが厚くなるのを回避しながらも、拡径変形部の偏芯によるリベット部材と嵌合部材とのかしめ強度のバラツキ発生を防止できる等の効果がある。
【図面の簡単な説明】
【図１】スナップファスナーを取り付けた衣服の要部斜視図である。
【図２】スナップファスナーの縦断側面図である。
【図３】雄スナップ用嵌合部材の平面図である。
【図４】雄スナップ用嵌合部材の縦断側面図である。
【図５】リベット部材の突起を雄スナップ用嵌合部材の貫通孔に挿入した状態における縦断側面である。
【図６】リベット部材と雄スナップ用嵌合部材をかしめ止めした状態における雄スナップの縦断側面図である。
【図７】従来の雄スナップ用嵌合部材の問題点を説明するための平面図である。
【図８】従来の雄スナップ用嵌合部材の問題点を説明するための雄スナップの縦断側面図である。
【符号の説明】
３…雄スナップ用嵌合部材、７…基板、８…係合用膨出部、９…雄型嵌合部、１０…貫通孔、１１…環状段差部、ａ…基板表面、ｂ，ｃ，ｄ…内周面。
【図１】
2004201999.tif 000003
【図２】
2004201999.tif 000004
【図３】
2004201999.tif 000005
【図４】
2004201999.tif 000006
【図５】
2004201999.tif 000007
【図６】
2004201999.tif 000008
【図７】
2004201999.tif 000009
【図８】
2004201999.tif 000010